(57)【要約】【課題】  従来の技術による諸問題を解決するため、レーザービューファインダーを有する映像取り込み装置を提供する。【解決手段】  映像取り込み装置２２は、ハウジング２４と、ハウジング２４内に設けられてレーザービームを発射するレーザー光源４０と、ハウジング２４内に設けられてレーザービームを発散させる第一レンズ４４と、第一レンズ４４により発散したレーザービームを遮蔽してレーザービューファインダーを形成するフレームマスク４６と、ハウジング２４に設けられてレーザービューファインダー内にある映像を取り込むカメラレンズ２６とを含む。【選択図】  図５ 
2005006271.tif 000002
【特許請求の範囲】
【請求項１】
レーザーで撮影範囲を確認する映像取り込み装置であって、該映像取り込み装置は、
ハウジングと、
ハウジング内に設けられてレーザービームを発射するレーザー光源と、
ハウジング内に設けられてレーザービームを発散させる第一レンズと、
第一レンズにより発散したレーザービームを遮蔽してレーザービューファインダーを形成するフレームマスクと、
ハウジングに設けられてレーザービューファインダー内にある映像を取り込むカメラレンズとを含むことを特徴とする映像取り込み装置。
【請求項２】
前記映像取り込み装置は更に、ハウジング内に設けられてレーザー光源により発射されたレーザービームを反射するリフレクターを含むことを特徴とする請求項１記載の映像取り込み装置。
【請求項３】
前記リフレクターは調整できるようにハウジングに設けられる平面鏡であることを特徴とする請求項２記載の映像取り込み装置。
【請求項４】
前記ハウジングは更に構造体と、滑られるように構造体に設けられる滑動台とを含み、そのうちレーザー光源は構造体内に設けられ、第一レンズは滑動台に設けられることを特徴とする請求項１記載の映像取り込み装置。
【請求項５】
前記映像取り込み装置は更に、ハウジングに設けられて光線を受け入れて被写体を見るための二つの光学式ビューファインダーを含むことを特徴とする請求項４記載の映像取り込み装置。
【請求項６】
前記映像取り込み装置は更に、滑動台に設けられて滑動台に従って両光学式ビューファインダーの間に移動する第二レンズセットを含むことを特徴とする請求項５記載の映像取り込み装置。
【請求項７】
前記第二レンズセットは平凹レンズと凸凹レンズを含むことを特徴とする請求項６記載の映像取り込み装置。
【請求項８】
前記フレームマスクが遮光性材料を含むことを特徴とする請求項１記載の映像取り込み装置。
【請求項９】
前記映像取り込み装置は更に撮影した映像データを出力する接続ポートを含むことを特徴とする請求項１記載の映像取り込み装置。
【請求項１０】
前記接続ポートはＵＳＢまたはＩＥＥＥ１３９４などに規格に当たることを特徴とする請求項９記載の映像取り込み装置。
【請求項１１】
レーザーで撮影範囲を確認する映像取り込み装置であって、該映像取り込み装置は、
構造体と、滑られるように構造体に設けられる滑動台とを含むハウジングと、
構造体内に設けられてレーザービームを発射するレーザー光源と、
滑動台内に設けられてレーザービームを発散させる第一レンズと、
第一レンズにより発散したレーザービームを遮蔽してレーザービューファインダーを形成するフレームマスクと、
構造体に設けられる二つの光学式ビューファインダーと、
滑動台に設けられて滑動台に従って両光学式ビューファインダーの間に移動する第二レンズセットと、
ハウジングに設けられてレーザービューファインダー内にある映像を取り込むカメラレンズとを含み、
そのうち滑動台がハウジング内に収まる場合、レーザー光源はオンにされ、第一レンズを通してレーザービームをフレームマスクに発散してレーザービューファインダーを形成し、カメラレンズを通してレーザービューファインダー内の映像を取り込み、滑動台がハウジングの上方に移動し、第二レンズセットは両光学式ビューファインダーの間に移動する場合、レーザー光源はオフにされ、光学式ビューファインダーを通して被写体を確認し、カメラレンズを通して光学式ビューファインダー内の映像を取り込むことを特徴とする映像取り込み装置。
【請求項１２】
前記映像取り込み装置は更に、調整できるように滑動台内に設けられてレーザー光源により発射されたレーザービームを反射するリフレクターを含むことを特徴とする請求項１１記載の映像取り込み装置。
【請求項１３】
前記リフレクターが平面鏡であることを特徴とする請求項１２記載の映像取り込み装置。
【請求項１４】
前記フレームマスクが遮光性材料を含むことを特徴とする請求項１１記載の映像取り込み装置。
【請求項１５】
前記映像取り込み装置は更に撮影した映像データを出力する接続ポートを含むことを特徴とする請求項１１記載の映像取り込み装置。
【発明の詳細な説明】
【技術分野】
【０００１】
この発明は映像取り込み装置に関し、特にレーザービューファインダーを有する映像取り込み装置に関する。
【背景技術】
【０００２】
デジタルカメラは既にデジタル製品として普及されている。その低価化とその他周辺電子製品との互換性などの特長をもって従来のフィルム式カメラに取って代わりつつある。図１を参照する。図１は従来の第一デジタルカメラ１０の正面図である。第一デジタルカメラ１０は映像を取り込むカメラレンズ１２と、いくつかのレンズの組み合わせで屈射された被写体のイメージを見るための光学式ビューファインダー１４と、ピントを合わせて映像を撮るためのシャッターボタン１６とを含む。図２を参照する。図２は第一デジタルカメラ１０の背面図である。第一デジタルカメラ１０は光学式ビューファインダー１４以外の、液晶ディスプレイか低温ポリシリコン（ＬＴＰＳ）ディスプレイである電子ビューファインダー１８と、映像の編集か閲覧または撮影パラメーターを設定するための制御ボタンセット２０とを含む。第一デジタルカメラ１０と従来のフィルム式カメラの相違点は電子ビューファインダー１８にある。ユーザーは小サイズの光学式ビューファインダー１４の代わりに電子ビューファインダー１８を通して被写体を見て、また撮影終了後に電子ビューファインダー１８で撮った映像を検視できる。
【０００３】
しかし、解像度と寸法に限られ、ユーザーが電子ビューファインダー１８で見た映像は、映像センサーが取り込んだ映像信号がデジタルシグナルプロセッサー（ＤＳＰ）によって処理されたもので、一定程度の歪みがあり得る。そのため、映像を撮った後にまたピント外れか振動による欠陥を見出す状況があり得る。なお、電子ビューファインダー１８には大量の電力消費をもたらすほか、それを見る視角も限られるなど、不便なところがある。
【０００４】
もっとも従来の通りに光学式ビューファインダー１８を通して被写体を見るのも可能であるが、この場合はデジタルカメラを顔に近く押し付け、不便でありながらも撮影の速度も低められる。なお、液晶ディスプレイかＬＴＰＳディスプレイは高価なもので、低レベルのデジタルカメラに取り付ければ引き合わないのみならず、小型の映像取り込み装置にも不向きであるため、小型か低コストのデジタルカメラにいかにビューファインダーを活用するかは業界の開発目標とされている。
【発明の開示】
【発明が解決しようとする課題】
【０００５】
この発明は前述の問題を解決するため、レーザービューファインダーを有する映像取り込み装置を提供することを課題とする。
【課題を解決するための手段】
【０００６】
この発明はレーザーで撮影範囲を確認する映像取り込み装置を提供する。該映像取り込み装置は、ハウジングと、ハウジング内に設けられてレーザービームを発射するレーザー光源と、ハウジング内に設けられてレーザービームを発散させる第一レンズと、第一レンズにより発散したレーザービームを遮蔽してレーザービューファインダーを形成するフレームマスクと、ハウジングに設けられてレーザービューファインダー内にある映像を取り込むカメラレンズとを含む。
【発明の効果】
【０００７】
従来の映像取り込み装置と比べ、この発明による装置は小型かつ低コストの映像取り込み装置に応用できるレーザービューファインダーを提供して、高電力消費、高コスト、大型かつ視角が限られる従来の電子ビューファインダーに取って代わる。レーザービューファインダーは低コスト、低電力消費、小型などの長所以外に、夜間か照明不足など従来の光学式か電子ビューファインダーが使えない場合においても使われる。なお、被写体が第二デジタルカメラ２２から遠いか被写体の周りにレーザーが当てられる物体がない場合、第二レンズセット４８を両光学式ビューファインダー３０の間に押して、光学式ビューファインダー３０で被写体を見ることも可能である。ゆえにこの発明は光学式とレーザーと二種類のビューファインダーを提供する。
【０００８】
かかる映像取り込み装置の特徴を詳述するために、具体的な実施例を挙げ、図示を参照にして以下に説明する。
【発明を実施するための最良の形態】
【０００９】
図３と図４を参照する。図３はこの発明による第二デジタルカメラ２２の正面図であり、図４は第二デジタルカメラ２２の背面図である。第二デジタルカメラ２２はハウジング２４と、映像を取り込むためのカメラレンズ２６と、回転できるようにハウジング２４に設けられてカメラレンズ２６を保護する回転プレート２８と、それぞれハウジング２４の正面と背面に設けられて被写体を見るための二つの光学式ビューファインダー３０とを含む。第二デジタルカメラ２２は更にピント合わせと撮影するためのシャッターボタン３２と、第二デジタルカメラ２２の機能を制御する制御ボタンセット３３と、映像データを出力する接続ポート３４とを含む。そのうち接続ポート３４はＵＳＢ１.１、ＵＳＢ２.０、ＵＳＢ ＯＴＧ、ＩＥＥＥ１３９４などの規格のいずれかに当たる。
【００１０】
図５を参照する。図５は第二デジタルカメラ２２の図４における５―５‘線に沿った断面図である。ハウジング２４は構造体３６と、滑られるように構造体３６に設けられる滑動台３８とを含む。第二デジタルカメラ２２は更に構造体３６内に設けられてレーザービームを発射するレーザー光源４０と、調整できるように滑動台３８内に設けられてレーザー光源４０からのレーザービームを反射する、平面鏡などのリフレクター４２と、滑動台３８内に設けられてリフレクター４２からのレーザービームを発散させる第一レンズ４４と、レーザー光源４０の上側にあり、レーザー光源４０からのレーザービームを調整するための第三レンズ４５とを含む。
【００１１】
第二デジタルカメラ２２は更に、滑動台３８内に設けられて第一レンズ４４に発散されてリフレクター４２に反射されたレーザービームを遮蔽してレーザービューファインダーを形成するフレームマスク４６を含む。フレームマスク４６は遮光性材料を含む。図６を参照する。図６はフレームマスク４６を表わす説明図である。斜線部分は遮光性材料を表わす。レーザービームはフレームマスクの遮光性材料の隙間を通り抜けてレーザービューファインダーを形成する。図７を参照する。図７はレーザービームがフレームマスク４６を通り抜けて形成するレーザービューファインダーを表わす説明図である。被写体をレーザービューファインダーの枠内に取り決め、点線からなる十字はレーザービューファインダーの中心点である。フレームマスク４６の形を変えることにより所要のレーザービューファインダーの形は変えられ、第一レンズ４４と第三レンズ４５のピントか組み合わせを変えるによって、レーザービューファインダーを見る視角は取り決められる。ゆえに第一レンズ４４、第三レンズ４５とフレームマスク４６を調整することによって、レーザービューファインダーで見る被写体はカメラレンズ２６が撮る被写体と一致することが可能である。第二デジタルカメラ２２は更に、滑動台３８内に設けられて、滑動台３８とともに両光学式ビューファインダー３０の間に移動できる第二レンズセット４８を含む。第二レンズセット４８は平凹レンズと凸凹レンズ、またはその他のレンズの組み合わせを含む。図８を参照する。図８は滑動台３８が上方に移動することを表わす説明図である。滑動台３８が上方に移動するに従って、第二レンズセット４８は両光学式ビューファインダーの間に移動する。かくして光学式ビューファインダー３０で被写体を見ることができ、また第二レンズセット４８のピントかレンズの組み合わせを変えることによって光学式ビューファインダー３０を見る視角は変えられる。ゆえに第二レンズセット４８を調整することによって、光学式ビューファインダー３０で見る被写体はカメラレンズ２６が撮る被写体と一致することが可能である。
【００１２】
第二デジタルカメラの操作方法は以下の通りである。ユーザーが映像を撮ろうとする場合、まず制御ボタンセット３３を押してレーザー光源４０をオンにし、レーザー光源４０はレーザービームを発射し、そのレーザービームは第三レンズ４５を通し、第三レンズ４５に調整されてからリフレクター４２に第一レンズ４４にまで反射される。そのうちリフレクター４２とレーザー光源４０との角度は反射の予定経路によって変えられる。リフレクター４２に反射されたレーザービームが第一レンズ４４を通した後、フレームマスク４６に発散され、フレームマスク４６の遮蔽によってレーザービューファインダーを被写体の周りに形成する。図９を参照する。図９は第二デジタルカメラ２２がレーザービューファインダーを利用して映像を撮ることを表わす説明図である。レーザー光源４０は低周波数のレーザージェネレーターであってもよく、一定の時間おきにレーザーを発射する。かくしてレーザー光源４０が消費する電力は節約されるのみならず、撮影者の目をレーザーから守られる。ゆえにこの発明によるレーザー光源４０はレーザー照射の時間、周波数と強度に配慮しなければならない。ユーザーが被写体を見て撮ろうとする場合、シャッターボタン３２を押してカメラレンズ２６で映像を取り込み、また撮影終了した後、接続ポート３４を通して撮影された映像データをパーソナルコンピューター、ノートブック型コンピューターまたはプリンターなどの周辺装置に出力することが可能である。
【００１３】
しかし、被写体の距離が遠いか、被写体の周りにレーザービームが当てられる物体がない場合には、レーザービューファインダーは使えず、図８の示す通りに、滑動台３８をハウジング２４の上方に押し出し、第二レンズセット４８を両光学式ビューファインダー３０の間に移動させ、光学式ビューファインダー３０を通して被写体を見るのは可能である。光学式ビューファインダー３０で被写体を見る場合は、制御ボタンセット３３を押してレーザー光源４０をオフにし、レーザービームが被写体を見る視線を影響しないようにさせる。制御ボタンセット３３は圧力式自動スイッチであってもよい。即ち滑動台３８がハウジング２４内にある場合、滑動台３８は制御ボタンセット３３を押してレーザー光源４０をオンにし、滑動台３８がハウジング２４の上方に押し出される場合、制御ボタンセット３３は外されてレーザー光源４０をオフにする。かくしてレーザー光源４０は滑動台３８の位置によって自動的に開閉できる。
【００１４】
この発明による第二デジタルカメラ２２は二段式シャッターを採用しても可能である。この場合ピント合わせはシャッターボタン３２が一段目に押されるときに決められる。カメラが感知する光線の強度がレーザービームに影響されないように、露光量自動取り決めとホワイトバランスはオフにする。シャッターボタン３２が一段目に押されるとき、第二デジタルカメラ２２は被写体を取り決めてピントを合わせ、続いてシャッターボタン３２が二段目に押されたら、カメラレンズ２６は映像を取り込む。シャッターボタン３２が二段目に押されるとき、レーザー光源４０はレーザービームが撮影に干渉しないようにオフにされる。なお、ユーザーが撮影を中止しようとする場合は、シャッターボタン３２を外すのみですむ。
【産業上の利用可能性】
【００１５】
この発明はデジタルカメラのほかに、ノートブック型コンピューターまたは携帯電話に取り付けられ、その応用はデジタルカメラに限られない。
【００１６】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００１７】
【図１】従来の第一デジタルカメラの正面図である。
【図２】第一デジタルカメラの背面図である。
【図３】この発明による第二デジタルカメラの正面図である。
【図４】第二デジタルカメラの背面図である。
【図５】第二デジタルカメラの図４における５―５‘線に沿った断面図である。
【図６】フレームマスクを表わす説明図である。
【図７】レーザービームがフレームマスクを通り抜けて形成するレーザービューファインダーを表わす説明図である。
【図８】滑動台が上方に移動することを表わす説明図である。
【図９】第二デジタルカメラがレーザービューファインダーを利用して映像を撮ることを表わす説明図である。
【符号の説明】
【００１８】
１０                第一デジタルカメラ
１２                カメラレンズ
１４                光学式ビューファインダー
１６                シャッターボタン
１８                電子ビューファインダー
２０                制御ボタンセット
２２                第二デジタルカメラ
２４                ハウジング
２６                カメラレンズ
２８                回転プレート
３０                光学式ビューファインダー
３２                シャッターボタン
３３                制御ボタンセット
３４                接続ポート
３６                構造体
３８                滑動台
４０                レーザー光源
４２                リフレクター
４４                第一レンズ
４５                第三レンズ
４６                フレームマスク
４８                第二レンズセット
【図１】
2005006271.tif 000003
【図２】
2005006271.tif 000004
【図３】
2005006271.tif 000005
【図４】
2005006271.tif 000006
【図５】
2005006271.tif 000007
【図６】
2005006271.tif 000008
【図７】
2005006271.tif 000009
【図８】
2005006271.tif 000010
【図９】
2005006271.tif 000011